(57)【要約】【課題】電動昇降装置の固定側から電気機器へ電力または電気信号を外観上シンプルな構成により給電できるようにする。【解決手段】器具３のベルト掛け４にベルト５を巻きかけ、ベルト５の一端を支持体７に固定するとともに、ベルト５の他端をベルト巻き取りドラム８に巻き付けて固定し、ベルト巻き取りドラム８をギヤ付きモータ９により駆動することにより、器具３およびこれと一体の電気機器１０を昇降させる電動昇降装置２において、ベルト５を絶縁体で構成し、その平坦な面にベルト長手方向にそって複数の導電体１１を形成しておき、導電体１１を電源回路１２に接続するとともに、複数の接触子１３を対応の導電体１１に接触させ、各接触子１３を電気機器１０に接続して昇降用給電装置１を構成する。【選択図】図２
2006116114.tif 000002
【特許請求の範囲】
【請求項１】
吊り下げ用の器具（３）に取り付けられている１または２以上のベルト掛け（４）にベルト（５）を巻きかけ、このベルト（５）の一端を支持体（７）に固定するとともに、ベルト（５）の他端をベルト巻き取りドラム（８）に巻き付けて固定し、このベルト巻き取りドラム（８）をギヤ付きモータ（９）によって駆動することにより、器具（３）および器具（３）に取り付けられている電気機器（１０）を昇降させる電動昇降装置（２）において、
上記ベルト（５）を絶縁体により構成し、絶縁体製のベルト（５）の平坦な面にベルト長手方向にそって複数の導電体（１１）を形成しておき、導電体（１１）をベルト（５）の固定側で電源回路（１２）に接続するとともに、器具（３）に取り付けられている複数の接触子（１３）を対応の導電体（１１）に接触させ、さらにそれぞれの接触子（１３）を電気機器（１０）に接続してなることを特徴とする昇降用給電装置（１）。
【請求項２】
電気機器（１０）に２つのベルト（５）の一端を固定するとともに、各ベルト（５）の他端をそれぞれ対応のベルト巻き取りドラム（８）に巻き付けて固定し、これらのベルト巻き取りドラム（８）を巻き掛け伝導手段（３２、３３）により連動させ、ベルト巻き取りドラム（８）をギヤ付きモータ（９）によって駆動することにより、電気機器（１０）を昇降させる電動昇降装置（２）において、
上記の少なくとも１つのベルト（５）を絶縁体により構成し、絶縁体製のベルト（５）の平坦な面にベルト長手方向にそって複数の導電体（１１）を形成しておき、これらの導電体（１１）とベルト巻き取りドラム（８）の近くに取り付けられている複数の接触子（１３）とを電気的に接触させ、これらの接触子（１３）を電源回路（１２）に接続するとともに、導電体（１１）を電気機器（１０）に接続してなることを特徴とする昇降用給電装置（１）。
【請求項３】
電気機器（１０）を消煙消臭器（１４）とし、この消煙消臭器（１４）を、光触媒層（１５）付きプラス電極板（１６）と、プラス電極板（１６）に対向して配置されているマイナス電極（１７）および紫外線ランプ（１８）と、プラス電極板（１６）とマイナス電極（１７）との間に接続される放電回路（１９）と、紫外線ランプ（１８）に接続される点灯回路（２０）とで構成し、電源回路（１２）を放電回路（１９）および点灯回路（２０）により構成するとともに、プラス電極板（１６）およびマイナス電極（１７）と放電回路（１９）との接続、および紫外線ランプ（１８）と点灯回路（２０）との接続を複数の導電体（１１）と複数の接触子（１３）とで行うことを特徴とする請求項１または請求項２記載の昇降用給電装置（１）。
【請求項４】
ベルト（５）の両方の面に導電体（１１）を形成し、一方の面の導電体（１１）と他方の面の導電体（１１）とをそれぞれ異なる回路に利用することを特徴とする請求項１、請求項２または請求項３記載の昇降用給電装置（１）。
【発明の詳細な説明】
【技術分野】
【０００１】
本発明は、電気機器を昇降させる電動昇降装置において、電動昇降装置の固定側から昇降側の電気機器へ電力または電気信号を給電する装置に関する。
【背景技術】
【０００２】
遊戯機、特にパチンコ機による遊戯中に、遊戯者の喫煙のため、遊戯場は、煙の充満により不衛生な状態となりやすい。この対策として、特許出願人は、特許文献１の特許出願により「煙消臭消却装置」を提案している。その煙消臭消却装置は、天井などに吊り具およびワイヤーにより昇降自在に取り付けられ、煙消臭消却装置への給電は、専用のコードにより行われる。専用のコードは、昇降範囲に対応して充分に長くしてある。このため長いコードの納まりが悪く、またワイヤーやコードの数が多くなり、外観上も好ましくない。この欠点は、特許文献２でもいえる。
【特許文献１】特願２００４−００３２９１
【特許文献２】特開平７−２１１１２７公報
【発明の開示】
【発明が解決しようとする課題】
【０００３】
したがって、本発明の課題は、電気機器を昇降させる電動昇降装置において、電動昇降装置の固定側から昇降側の電気機器へ電力または電気信号を外観上シンプルな構成により給電できるようにすることであり、また電気機器を消煙消臭器により構成することによって遊戯場などでの遊戯者の喫煙によるたばこ煙を速やかに吸着しかつ消臭しながら消煙できるようにするすることである。
【課題を解決するための手段】
【０００４】
上記の課題のもとに、本発明は、吊り下げ用の器具に取り付けられている１または２以上のベルト掛けにベルトを巻きかけ、このベルトの一端を支持体に固定するとともに、ベルトの他端をベルト巻き取りドラムに巻き付けて固定し、このベルト巻き取りドラムをギヤ付きモータによって駆動することにより、器具および器具に取り付けられている電気機器を昇降させる電動昇降装置において、上記ベルトを絶縁体により構成し、絶縁体製のベルトの平坦な面にベルト長手方向にそって複数の導電体を形成しておき、導電体をベルトの固定側で電源回路に接続するとともに、器具に取り付けられている複数の接触子を対応の導電体に接触させ、さらにそれぞれの接触子を電気機器に接続することによって、昇降用給電装置を構成している（請求項１）。
【０００５】
また、本発明は、電気機器に２つのベルトの一端を固定するとともに、各ベルトの他端をそれぞれ対応のベルト巻き取りドラムに固定して巻き付け、これらのベルト巻き取りドラムを巻き掛け伝導手段により連動させ、ベルト巻き取りドラムをギヤ付きモータによって駆動することにより、電気機器を昇降させる電動昇降装置において、上記少なくとも１つのベルトを絶縁体により構成し、絶縁体製のベルトの平坦な面にベルト長手方向にそって複数の導電体を形成しておき、これらの導電体とベルト巻き取りドラムの近くに取り付けられている複数の接触子とを電気的に接触させ、これらの接触子を電源回路に接続するとともに、導電体を電気機器に接続することによって、昇降用給電装置を構成している（請求項２）。
【０００６】
電気機器を消煙消臭器とし、この消煙消臭器を、光触媒層付きプラス電極板と、このプラス電極板に対向して配置されているマイナス電極および紫外線ランプと、プラス電極板とマイナス電極との間に接続される放電回路と、紫外線ランプに接続される点灯回路とで構成し、電源回路を放電回路および点灯回路により構成するとともに、プラス電極板およびマイナス電極と放電回路との接続、および紫外線ランプと点灯回路との接続を導電体と接触子とで行うようにしている（請求項３）。さらに、本発明は、ベルトの両方の面に導電体を形成し、一方の面の導電体と他方の面の導電体とをそれぞれ異なる回路に利用している（請求項４）。
【発明の効果】
【０００７】
本発明に係る昇降用給電装置によると、次の効果が得られる。ギヤ付きモータによるベルトの巻き上げ機能・巻き戻し機能によって、電気機器が最も適切な位置に設置でき、それにより２つの機能が最大限に有効に利用できる（請求項１および請求項２）。幅のあるベルトにより吊り下げられているから、電気機器の吊り下げ状態でその方向が安定し、電気機器の機能を有効に利用できる（請求項１および請求項２）。特に、絶縁体製のベルトに複数の導電体が一体に形成されているから、ベルトの他に専用のコードが必要とされず、吊り下げ構造が単純化できるほか、電気機器の上下動に際しても、たるむコードなどもないので、外観上も有利である（請求項１および請求項２）。電気機器が動滑車に吊り下げられているから、ギヤ付きモータのトルクが電気機器を直接吊り下げる方式に比較して半分になる（請求項１）。２つのベルトが同時に巻き上げ・巻き戻しされるため、電気機器が平行移動し、常に所定の姿勢が保たれる（請求項２）。
【０００８】
本発明に係る昇降用給電装置において、電気機器が消煙消臭器であると、煙集着用のプラス電極板とマイナス電極との荷電作用によって、煙粒子が主としてプラス電極板に吸着され、吸着された煙粒子が光触媒層により消臭されるため、たばこ煙の拡散が防止できる。また、光触媒層の存在によって、防汚効果、抗菌効果も期待できる。特に、消煙消臭器の昇降機能によって、プラス電極板、マイナス電極および紫外線ランプの高さが電気的なスイッチ操作によって調節できるから、消煙消臭に効果のある位置に消煙消臭器が設置できる（請求項３）。
【０００９】
本発明に係る昇降用給電装置において、ベルトの各面の導電体が異なる回路に使い分けられ、各面の導電体の間に絶縁製のベルトが介在しするため、両面の導電体間の電気的な絶縁性が高く、沿面距離も充分に確保できる。したがって、両面の導電体の間で短絡や電気的な干渉などが未然に防止できる（請求項４）。
【発明を実施するための最良の形態】
【００１０】
図１ないし図３は、本発明に係る昇降用給電装置１の構成を示している。これらの図において、昇降用給電装置１は、電動昇降装置２に組み込まれている。電動昇降装置２は、吊り下げ用の器具３に取り付けられているベルト掛け４にベルト５を巻きかけ、このベルト５の一端をベルト止め具６により支持体７に固定するとともに、ベルト５の他端をベルト巻き取りドラム８に巻き付けて固定し、このベルト巻き取りドラム８をギヤ付きモータ９によって駆動することにより、器具３および器具３に取り付けられている電気機器１０を動滑車吊り下げ方式として昇降させる。
【００１１】
ベルト掛け４は、１または２以上設けられるが、図示の例で水平方向の２個の固定ピンにより構成されている。このため、ベルト５は、固定ピンによるベルト掛け４の外周面に対して滑るようになっている。しかし、ベルト掛け４は、固定ピンでなく、器具３に対して回転可能なピンあるいは回転可能な滑車（動滑車）により構成することもでき、その構成によると、ベルト５は、回転可能なピンあるいは回転可能な滑車（動滑車）に対して摩擦抵抗のない状態で軽快に転がり移動することになる。なお、ベルト５は、ベルト止め具６により支持体７に固定されるが、この支持体７は、電動昇降装置２を天井や梁などに固定するための取り付け板としても用いられ、同時にギヤ付きモータ９を取り付け、かつ電気機器１０を吊り下げる部分としても機能する。
【００１２】
また、ギヤ付きモータ９は、正逆回転可能な例えばＤＣモータにより構成し、支持体７の上面に取り付けられ、その出力軸２１に取り付けられているベルト巻き取りドラム８をベルト５の巻き取り方向または巻き戻し方向に回転駆動する。このギヤ付きモータ９の制御は、モータ制御ボックス２２に接続されている正回転スイッチ２３、正逆回転スイッチ２４によりモータ制御ボックス２２の位置で行えるようになっている。
【００１３】
そして、本発明は、上記の電動昇降装置２において、上記のベルト５を絶縁体例えば厚み０．７５ｍｍ、幅５０ｍｍ程度のガラス繊維製織りベルトにより構成し、その平坦な面にベルト長手方向にそって複数の導電体１１を形成しておき、導電体１１をベルト５の固定側で電源回路１２に接続するとともに、器具３に取り付けられている複数の接触子１３を対応の導電体１１に接触させ、さらにそれぞれの接触子１３を電気機器１０に接続して、昇降用給電装置１を構成している。
【００１４】
図４および図５は、複数の導電体１１と複数の接触子１３とを示している。これらの図において、導電体１１は、ベルト５の外側の面に適当な間隔をおいて銅箔などにより、例えば３本独立に形成されている。３つの接触子１３は、器具３の絶縁台２５に固定されており、それ自体の弾力または図示しないが押しスプリングの弾力によって各導電体１１に接し、電気的に導通し得る状態となっている。なお、接触子１３の取り付け位置は、２つのベルト掛け（固定ピン・回転可能なピン・回転可能な滑車）４の間、またはいずれかのベルト掛け（固定ピン・回転可能なピン・回転可能な滑車）４の下とする。接触子１３の取り付け位置を２つのベルト掛け４の間とし、絶縁台２５の高さをねじやくさび状の調節具により調節可能とすれば、ベルト５の張力の合力変化によって、導電体１１と接触子１３との接触圧が調整できるので有利である。
【００１５】
特に、本発明は、最良の実施形態として、電気機器１０を消煙消臭器１４としている。図２、図３および図６は、消煙消臭器１４の構成を示している。これらの図で、消煙消臭器１４は、光触媒層１５を表面に有するプラス電極板１６と、このプラス電極板１６に対向して配置されているマイナス電極１７および紫外線ランプ１８と、プラス電極板１６とマイナス電極１７との間に接続される放電回路１９と、紫外線ランプ１８に接続される点灯回路２０とで構成さている。ここで放電回路１９および点灯回路２０は、ベルト５の固定側で支持体７に設けられている電源回路１２を構成している。
【００１６】
なお、光触媒層１５は、プラス電極板１６の表面に、光触媒の消臭効果、防汚効果、抗菌効果を得るために用いられる。その光触媒は、代表的なものとして、二酸化チタンであるが、二酸化チタンは、絶縁体である。そこで、光触媒層１５は、プラス電極板１６の少なくとも内側の表面に網状または多孔質の状態として形成され、部分的に金属板（導電板）を露出させ、マイナス電極１７対する導電性を確保するか、または導電性の金属粉末例えばアルミニュウム粉末を混入した光触媒をプラス電極板１６の少なくとも内側の表面全域に形成して、プラス電極板１６の光触媒層１５の表面全域で導電性を付与することによって、プラス電極板１６とマイナス電極１７との放電を容易化する。
【００１７】
マイナス電極１７および紫外線ランプ１８は、１または２以上用意され、プラス電極板１６の左右の側板の中間位置でそれらに対向する状態で上下方向に配置され、上端部においてプラス電極板１６の上面板に電気的に絶縁状態で取付けられている。この例では３個のマイナス電極１７と２個の紫外線ランプ１８とが中間線上で交互に配置されている。なおマイナス電極１７は、電極ロッドに複数の針電極を固定し、各針電極をプラス電極板１６の側板に向けて突出させた構造となっている。
【００１８】
図６は、プラス電極板１６とマイナス電極１７との間に接続される放電回路１９および紫外線ランプ１８に接続される点灯回路２０を示している。放電回路１９および点灯回路２０は、ともに電源２６に接続されており、放電回路１９は、専用の電線２７および共通の電線２９によりプラス電極板１６、マイナス電極１７に接続されている。放電回路１９の出力電圧は、プラス電極板１６とマイナス電極１７との距離や電極形状によるが、例えばＤＣ１０ｋＶ以上であり、設置環境に応じて調節できるようになっている。また、点灯回路２０は、専用の電線２８および共通の電線２９により紫外線ランプ１８に接続されている。これらの電線２７、２８、２９は、途中でそれぞれ３本の導電体１１および３個の接触子１３により接続されている。
【００１９】
上記構成の消煙消臭器１４は、電動昇降装置２により遊戯場の天井などに支持体７により取付けられる。このとき、プラス電極板１６の側板は、取付け位置での空気の流れ方向に対して平行となるように取付けられる。取り付け後、操作者は、モータ制御ボックス２２の正回転スイッチ２３または逆回転スイッチ２４をオンオフさせ、消煙消臭器１４を最も適当な高さに設定する。なお、ベルト５の上昇・下降の限界位置に小さな孔を形成し、この孔と光センサーとを組み合わせるか、またはベルト５の上昇・下降の限界位置に薄い磁気シートを貼付し、この磁気シートと磁気センサーとを組み合わせることによって、消煙消臭器１４の上昇限界位置または下降限界位置において、ギヤ付きモータ９を強制的に停止させることもできる。
【００２０】
電気機器１０としての消煙消臭器１４が動滑車方式のもとに吊り下げられているから、ギヤ付きモータ９のトルクが消煙消臭器１４を直接吊り下げる方式に比較して半分になり、また幅のあるベルト５により吊り下げられているから、消煙消臭器１４の吊り下げ状態でその方向が安定し、その機能を有効に利用できる。特に、絶縁体製のベルト５に複数の導電体１１が一体に形成されているから、ベルト５の他に専用のコードが必要とされず、吊り下げ構造が単純化できるほか、消煙消臭器１４の上下動に際しても、たるむコードなどもないので、外観上も有利である。
【００２１】
この状態で、放電回路１９は、その出力によりプラス電極板１６とマイナス電極１７との間にコロナ放電を持続させ、また点灯回路２０は、紫外線ランプ１８を連続的に点灯させる。これによって、消煙消臭器１４は、動作状態（放電・点灯状態）となる。このときコロナ放電は、取付け位置での空気の流れにより電離域に入り込んだたばこ煙粒子を荷電（帯電）状態とする。帯電状態のたばこ煙粒子は、流れの過程で、主としてプラス電極板１６に吸引され、その表面に付着する。これにより、たばこ煙の拡散が防止でき、消煙が行われる。
【００２２】
同時に紫外線ランプ１８からの紫外線が光触媒層１５に照射されると、光触媒層１５の光触媒は、光エネルギーを吸収し、励起されることによって、活性化し、酸化・還元反応を促進し、プラス電極板１６の表面に付着したたばこ煙粒子や微粒子を消臭すると同時に抗菌作用を営む。これによって、たばこ煙による悪臭が解消され、菌の増殖も抑えられるため、室内環境の不衛生な状態が解消される。
【００２３】
消煙消臭器１４の使用によって、主としてプラス電極板１６の表面にたばこ煙粒子や微粒子が付着するが、その他、マイナス電極１７や紫外線ランプ１８の表面にも、たばこ煙粒子や微粒子が付着する。このため、消煙消臭器１４は、電動昇降装置２により低い位置まで引き下げて、空気吸引式の掃除機や水または蒸気の噴射式掃除機により定期的に清掃される。光触媒層１５が光エネルギーを受けて、たばこ煙粒子や油分などの有機物を分解しており、しかも光触媒層１５が親水性を有しているため、水または蒸気による清掃は洗い流しやすくなる。つまり光触媒層１５は、防汚、セルフクリーニングとしても機能することになる。
【００２４】
帯電状態のたばこ煙粒子や微粒子は、プラス電極板１６とマイナス電極１７との間の電界によって移動する。このため、プラス電極板１６とマイナス電極１７との間での空気の流れは、帯電状態のたばこ煙粒子や微粒子の移動に対して補助的なものであるが、必要に応じてフアンを付設し、所定の方向に強制的に発生させることもできる。
【００２５】
なお、導電体１１は、必要に応じてベルト５の両方の面にそれぞれ複数形成される。表面の導電体１１は、放電回路１９の配線に用いられ、裏面の導電体１１は点灯回路２０の配線に用いられる。このように、各面の導電体１１がそれぞれ異なる回路に使い分けられると、各面の導電体１１の間に絶縁性のベルト５が介在しするため、両面の導電体１１間の電気的な絶縁性が高く、沿面距離も充分に確保できる。したがって、両面の導電体１１の間で短絡や電気的な干渉などが未然に防止できる。また、各面の導電体１１を強電用と弱電用（信号用）とに分けて利用することもできる。
【００２６】
通常、放電回路１９や点灯回路２０は、支持体７に固定されるが、器具３の上面にケースなどとともに取り付けることもできる。放電回路１９や点灯回路２０が器具３の上面に取り付けられるとき、導電体１１および接触子１３は、電源２６と放電回路１９および点灯回路２０との間に介在して、それらを通電状態とする。また、プラス電極板１６は、円筒状あるいは角筒状として構成することもできる。円筒状あるいは角筒状のプラス電極板１６に対して、マイナス電極１７や紫外線ランプ１８は、筒の中心位置に配置される。なお、マイナス電極１７と紫外線ランプ１８とは、電極の一部またはランプホルダの一部を利用して一体として構成することもできる。
【００２７】
次に図７および図８は、本発明に係る昇降用給電装置１において、他の吊り下げ態様を示している。この吊り下げ例は、電気機器１０に２つのベルト５の一端を止め金具３１により固定するとともに、支持体７に２つのベルト巻き取りドラム８を平行な出力軸２１および従動軸３０により回転自在に支持しておき、各ベルト巻き取りドラム８にそれぞれ対応のベルト５の一端を固定しながら巻き付け、さらに出力軸２１および従動軸３０に巻き掛け伝導手段として取り付けられているスプロケットホイール３２、それらに巻き掛けたローラチエーン３３により同じ回転量で連動回転するようになっている。
【００２８】
ギヤ付きモータ９が出力軸２１を駆動し、２つのスプロケットホイール３２を同一の方向に同じ位相で回転させると、電気機器１０は、必ず所定の姿勢、通常、水平な姿勢を維持しながら上下動することになる。巻き掛け伝導手段としてのスプロケットホイール３２、ローラチエーン３３は、タイミングプーリ、タイミングベルトのほか、プーリ、ベルトで置換可能である。
【００２９】
そして、少なくとも一方または双方のベルト５は、前記の例と同様に導電体１１を有している。導電体１１は、ベルト巻き取りドラム８の近くに取り付けられている複数の接触子１３に電気的に接触しており、接触子１３は、電源回路１２（放電回路１９・点灯回路２０）に接続されており、導電体１１の下部の端部は、最終的に給電すべき対象の電気機器１０（プラス電極板１６、マイナス電極１７、紫外線ランプ１８）に接続される。このように、この吊り下げ態様でも、電気機器１０は、前記の具体例と同様に電源回路１２（放電回路１９・点灯回路２０）に接続される。
【００３０】
図７および図８の例で、複数の接触子１３は直接に導電体１１に接触しているが、接触子１３と導電体１１とは図示しないが間接的に接触していてもよい。例えば、導電体１１をベルト巻き取りドラム８の軸（出力軸２１）に取り付けられているスリップリングに接続するとともに、これらのスリップリングに複数の接触子１３を接触させてもよく、その例によると、接触子１３と導電体１１とは間接的に接触し、電気的に接続されていることになり、この場合、導電体１１は被覆して保護できる点で有利である。
【産業上の利用可能性】
【００３１】
本発明の昇降用給電装置１は消煙消臭器１４に限らず、照明器具などにも利用できる。また電気機器１０としての消煙消臭器１４は、主に遊戯場での煙の消却用として開発されたが、その煙消却機能、空気の清浄機能、菌除去機能などは、一般家庭の部屋、車輛室内、病院、工場内などでも有効である。
【図面の簡単な説明】
【００３２】
【図１】本発明に係る昇降用給電装置１および電動昇降装置２の正面図である。
【図２】本発明に係る昇降用給電装置１および電動昇降装置２の側面図である。
【図３】本発明に係る昇降用給電装置１および電動昇降装置２の底面図である。
【図４】本発明に係る昇降用給電装置１の要部の正面図である。
【図５】本発明に係る昇降用給電装置１の要部の側面図である。
【図６】本発明に係る昇降用給電装置１の電気回路のブロック線図である。
【図７】本発明に係る昇降用給電装置１の他の吊り下げ態様の正面図である。
【図８】本発明に係る昇降用給電装置１の他の吊り下げ態様の平面図である。
【符号の説明】
【００３３】
１  昇降用給電装置
２  電動昇降装置
３  器具
４  ベルト掛け
５  ベルト
６  ベルト止め具
７  支持体
８  ベルト巻き取りドラム
９  ギヤ付きモータ
１０  電気機器
１１  導電体
１２  電源回路
１３  接触子
１４  消煙消臭器
１５  光触媒層
１６  プラス電極板
１７  マイナス電極
１８  紫外線ランプ
１９  放電回路
２０  点灯回路
２１  出力軸
２２  モータ制御ボックス
２３  正回転スイッチ
２４  逆回転スイッチ
２５  絶縁台
２６  電源
２７  電線
２８  電線
２９  電線
３０  従動軸
３１  止め金具
３２  スプロケットホイール
３３  ローラチエーン
【図１】
2006116114.tif 000003
【図２】
2006116114.tif 000004
【図３】
2006116114.tif 000005
【図４】
2006116114.tif 000006
【図５】
2006116114.tif 000007
【図６】
2006116114.tif 000008
【図７】
2006116114.tif 000009
【図８】
2006116114.tif 000010